(57)【要約】【課題】使用中に浮動ユニットが互いに係止結合される浮動構造。【解決手段】浮動構造は、中空の円筒形ロッドの形態の係止ロッド（５５）と、係止ロッド（５５）が挿入される中央貫通孔（３７）を有する係止接続要素（３６）と、円弧状の一対の係止係合要素（６３）と、係止ロッド（５５）の端部に置かれて端部を覆う係止挿入要素（５９）とを備え、使用中、各係止係合要素（６３）のエッジ部が係止連結要素（３６）に当接して、係止接続要素（３６）の係合面が、少なくとも２つの浮動ユニットの上側又は下側係合面（２００又は２０２）に一緒に係止されることにより、浮動ユニットが互いに係止結合され、浮動構造が構築される。【選択図】図２０Ａ
2020073368.tif 000002
【特許請求の範囲】
【請求項１】
複数の係止を備えた浮動構造であって、
各浮動ユニットが前記複数の係止によって別の浮動ユニットに取り付けられる、浮動構造において、
中空の円筒形ロッドの形態の係止ロッド（５５）であって、当該係止ロッド（５５）の壁を貫通し、当該係止ロッド（５５）の一端に隣接して配置された少なくとも２つの孔（５８）を有する係止ロッド（５５）と、
前記係止ロッド（５５）がぴったり挿入するように構成された中央貫通孔（３７）を有する係止接続要素（３６）であって、前記浮動ユニットの上側係合面（２００）又は前記下側係合面（２０２）とぴったりと係合可能な係合面を備える、係止接続要素（３６）と、
それぞれが前記係止ロッド（５５）の外側をぴったりと囲むことができる円弧状の形態である一対の係止係合要素（６３）であって、各係止係合要素（６３）の内側に、当該一対の係止係合要素（６３）が前記係止ロッド（５５）の外側を囲む状態で、前記係止ロッド（５５）の対応する孔（５８）内にぴったりと挿入されるための少なくとも１つのラッチ（６５）が設けられた、一対の係止係合要素（６３）と、
前記係止ロッド（５５）の外側が前記一対の係止係合要素（６３）によってぴったりと囲まれた状態で、前記係止ロッド（５５）の端部に置かれて前記端部を覆う係止挿入要素（５９）と、を備え、
使用中、各係止係合要素（６３）のエッジ部が対応する係止連結要素（３６）に当接して、前記係止接続要素（３６）の係合面が、少なくとも２つの浮動ユニットの対応する前記上側又は下側係合面（２００又は２０２）に一緒に係止され、それによって、浮動ユニットが互いに係止結合されて浮動構造が構築可能であることを特徴とする、
浮動構造。
【請求項２】
前記係止係合要素（６３）が、前記係止接続要素（３６）に当接するために、前記係止係合要素（６３）の周囲に沿って前記エッジ部から外向きに突出するフランジ（６４）をさらに備える、請求項１に記載の浮動構造。
【請求項３】
前記係止係合要素（６３）が、その側部に少なくとも１つの貫通孔（６６）をさらに備え、
前記係止が、係止ロッド（５５）の孔（５６）にぴったりと被せられて覆うように形成された係止挿入要素（６７）をさらに備え、前記係止挿入要素が、互いに固定するために前記係止係合要素（６３）の対応する貫通孔（６６）に挿入するための突起（６９）を備える、請求項１又は２に記載に浮動構造。
【請求項４】
前記係止挿入要素（６７）の前記突起（６９）が、位置決めに使用される凹溝（７０）をさらに備え、前記係止挿入要素（５９）が、位置決定用のボタン（６２）をさらに備え、使用中、前記係止挿入要素（５９）の前記ボタン（６２）が前記係止挿入要素（６７）の前記突起（６９）の前記凹溝（７０）に嵌合される、請求項３に記載の浮動構造。
【請求項５】
前記構造が、前記第１のフロアに組み立てられた複数の浮動ユニット、及び前記第１のフロアから垂直に離間した第２のフロアに組み立てられた複数の浮動ユニットを含む、請求項１に記載の浮動構造。
【請求項６】
前記第１のフロアは、前記浮動ユニットの内部に、水よりも高い密度の材料で充填される、請求項５に記載の浮動体構造。
【請求項７】
前記係止挿入要素（６７）が、上側に孔（６８）をさらに備え、前記孔（６８）には、外部デバイスをネジで取り付けるための内部ねじが設けられる、請求項１から６までのいずれか一項に記載の浮動構造。
【発明の詳細な説明】
【技術分野】
【０００１】
本発明は、浮動ユニット、及びこの浮動ユニットを組み立てることによって構築される浮動構造体に関する。
【背景技術】
【０００２】
利用又は牽引可能な単一の浮動ユニット又は一体に組み立てられた複数の浮動ユニットから構築されるドック、桟橋、筏等のような浮動構造体がよく知られている。
【０００３】
一体に組み立てられた複数の浮動ユニットから構築された浮動構造体としては、カナダのＣａｎｄｏｃｋ  Ｉｎｃ．に譲渡された米国特許第８，０３７，８３７Ｂ２号が、浮動ドックを形成するためのファスナで別のドックユニットに取り付け可能なドックユニットを開示している。同様に、スペインのＭａｒｉｎｅ  Ｓｙｓｔｅｍ  Ｅｕｒｏｐａ  ＳＬが所有する欧州特許出願公開第２６８２３３６Ａ１号に開示されるような複数の浮動ユニットを組み立てる場合には、浮動ユニットは、穿孔された突起とボルトの形態のコネクタによって接続された形態で相互に連結される。
【０００４】
上述したような既存の発明では、浮動ユニットは、それぞれのファスナ又はボルトを受け入れるためにそれぞれが横方向に延びる突起を有し、それによって浮動ユニットを別の浮動ユニットに取り付けられ得る。この構造には、これらの構成要素が容易に損傷すること、及びプラスチック成形によって形成された浮動ユニットの構成要素が複雑なモールドとなり、浮動ユニットの製造コストが上昇する場合があること、などのいくつかの欠点がある。
【０００５】
一方、フランスのＳ．Ａ．  Ａｔｅｌｉｅｒｓ  Ｐｏｌｙｖａｌｅｎｔｓ  Ｃｈａｔｅａｕｎｅｕｆに帰属する欧州特許出願公開第０３８５９０３Ａ１号明細書の発明では、浮動ユニットは、ボルトと、４本の水平アームを有するナットとを用いて互いに結合され、４本の水平アームは、浮動ユニットの下面のキャビティに嵌合されて、ボルトを受けるための突起を用いることなく、浮動ユニット同士を接合し得るように構成されている。しかし、浮動ユニットは、ボルトの締め付け力により一体化されるため、ボルトが緩む可能性がある。
【先行技術文献】
【特許文献】
【０００６】
【特許文献１】米国特許第８，０３７，８３７Ｂ２号
【特許文献２】欧州特許出願公開第２６８２３３６Ａ１号
【特許文献３】欧州特許出願公開第０３８５９０３Ａ１号
【発明の概要】
【発明が解決しようとする課題】
【０００７】
上記課題を解決するために、本発明の目的は、簡単で複雑ではなく、そのため製造コストが低い浮動構造を組み立てるために、係止により他の浮動ユニットに取り付け可能な浮動ユニットを提供することである。本浮動ユニットは、ネジ又は他の固定手段を用いることなく、係止によって互いに係止可能であり、そのため浮動ユニットを容易に組み立てて、互いにしっかりと取り付けることができる。
【０００８】
さらに、本発明の別の目的は、フロアの間に空間を有するか又は有さない多床浮動体構造を構築することであり、下層フロアが、砂、コンクリートなどの水の密度よりも高い密度を有する材料によって荷重がかけられるので、浮動構造がより安定しさらに利用可能である。
【課題を解決するための手段】
【０００９】
本発明に係る浮動体構造を構成するための係止によって他の浮動部に取り付けることが可能な浮動ユニットは、平面視で中空の多角形である浮動体を備える。浮動体は、上面、下面、及び上面及び下面に接続された複数の側面を備える。浮動体の上面及び下面は、多角形浮動体の各関連する側にそれぞれ少なくとも１つの上側係合面及び少なくとも１つの下側係合面を備え、上側及び下側係合面はそれぞれ、係止の係止面に嵌合するように構成される。したがって、浮動体は、別の浮動ユニットの浮動体に取り付可能である。
【００１０】
添付の図面に示される本発明の以下の詳細な説明から、本発明の上述の目的及び他の目的及び特徴がより明白になるであろう。
【図面の簡単な説明】
【００１１】
【図１Ａ】本発明による浮動ユニットの第１の実施例を示す図である。
【図１Ｂ】本発明による浮動ユニットの第１の実施例を示す図である。
【図１Ｃ】本発明による浮動ユニットの第１の実施例を示す図である。
【図１Ｄ】本発明による浮動ユニットの第１の実施例を示す図である。
【図２Ａ】本発明による浮動ユニットの第２の実施例を示す図である。
【図２Ｂ】本発明による浮動ユニットの第２の実施例を示す図である。
【図２Ｃ】本発明による浮動ユニットの第２の実施例を示す図である。
【図３Ａ】本発明による浮動ユニットの第３の実施例を示す図である。
【図３Ｂ】本発明による浮動ユニットの第３の実施例を示す図である。
【図３Ｃ】本発明による浮動ユニットの第３の実施例を示す図である。
【図４Ａ】本発明による浮動ユニットの第４の実施例を示す図である。
【図４Ｂ】本発明による浮動ユニットの第４の実施例を示す図である。
【図４Ｃ】本発明による浮動ユニットの第４の実施例を示す図である。
【図４Ｄ】本発明による浮動ユニットの第４の実施例を示す図である。
【図５】単一フロア浮動構造を構築するために、図４Ａ〜４Ｄによる浮動ユニットを組み立てるプロセスを示す図である。
【図６Ａ】本発明による浮動ユニットの第５の実施例を示す図である。
【図６Ｂ】本発明による浮動ユニットの第５の実施例を示す図である。
【図６Ｃ】本発明による浮動ユニットの第５の実施例を示す図である。
【図７】図６Ａ〜６Ｃによる浮動ユニットを一緒に組み立てて単一フロア浮動構造を構築するプロセスを示す図である。
【図８Ａ】本発明による浮動ユニットの第６の実施例を示す図である。
【図８Ｂ】本発明による浮動ユニットの第６の実施例を示す図である。
【図８Ｃ】本発明による浮動ユニットの第６の実施例を示す図である。
【図９】外部デバイスを有する別の浮動ユニット又は組立体との組み立てを容易にするための、図４Ａ〜４Ｄに示す第４の実施例による浮動ユニットの構造を示す図である。
【図１０】水道管、電線管などの外部接続デバイスを有する浮動ユニット又は組立体間の組み立てを容易にする構造と組み合わせて使用される補助浮動ユニットの詳細を示す図である。
【図１１】図１に示す第１の実施例による浮動ユニットの係合面に係合する要素として機能する係止の主係止接続要素の１つの形態を示す図である。
【図１２】図２Ａ〜２Ｃに示す第２の実施例による浮動ユニットの係合面に係合する要素として働く係止の主係止接続要素の別の形態を示す図である。
【図１３Ａ】図３Ａ〜３Ｃに示す第３の実施例による浮動ユニットの係合面に係合される要素として役立つ係止の主係止接続要素の別の形態を示す図である。
【図１３Ｂ】図３Ａ〜３Ｃに示す第３の実施例による浮動ユニットの係合面に係合される要素として役立つ係止の主係止接続要素の別の形態を示す図である。
【図１４Ａ】図３Ａ〜３Ｃに示す第３の実施例による浮動ユニットの係合面に係合される要素として役立つ係止の主係止接続要素の別の形態を示す図である。
【図１４Ｂ】図３Ａ〜３Ｃに示す第３の実施例による浮動ユニットの係合面に係合される要素として役立つ係止の主係止接続要素の別の形態を示す図である。
【図１５Ａ】図４Ａ〜４Ｄに示す第４の実施例による浮動ユニットの係合面に係合する要素として機能する係止の主係止接続要素の別の形態を示す図である。
【図１５Ｂ】図４Ａ〜４Ｄに示す第４の実施例による浮動ユニットの係合面に係合する要素として機能する係止の主係止接続要素の別の形態を示す図である。
【図１６】図６Ａ〜６Ｃに示される第５の実施例による浮動ユニットの係合面に係合される要素として働く係止の主係止接続要素の別の形態を示す図である。
【図１７】第７の実施例による浮動ユニットの係合面に係合する要素として役立つ係止の主係止接続要素の別の形態を示す図である。
【図１８】図１７に示される主係止接続要素と共に使用される本発明による浮動ユニットの第７の実施例を示す図である。
【図１９Ａ】図８Ａ〜８Ｃに示す第６の実施例による浮動ユニットの係合面に係合する要素として機能する係止の主係止接続要素の別の形態を示す図である。
【図１９Ｂ】図８Ａ〜８Ｃに示す第６の実施例による浮動ユニットの係合面に係合する要素として機能する係止の主係止接続要素の別の形態を示す図である。
【図２０Ａ】係止ロッド、内側係止挿入要素、係止要素、及び係止挿入要素を含む係止の詳細を示す図である。
【図２０Ｂ】係止ロッド、内側係止挿入要素、係止要素、及び係止挿入要素を含む係止の詳細を示す図である。
【図２１Ａ】図２０に示すように係止を組み立てるステップを示す図である。
【図２１Ｂ】図２０に示すように係止を組み立てるステップを示す図である。
【図２１Ｃ】図２０に示すように係止を組み立てるステップを示す図である。
【図２１Ｄ】図２０に示すように係止を組み立てるステップを示す図である。
【図２１Ｅ】図２０に示すように係止を組み立てるステップを示す図である。
【図２２】本発明による浮動ユニット及び係止から構築された２フロア浮動構造の例を示す図である。
【図２３】本発明による浮動ユニットを組み立てることによって構築された３フロア浮動構造の第２の例を示す図である。
【発明を実施するための形態】
【００１２】
本発明による浮動ユニットは、中空多面体浮動ユニットの形態であり、好ましくは、高密度ポリエチレン（ＨＤＰＥ）、ポリプロピレン・ランダム・コポリマ（ＰＰＲ）、ポリエステル、ポリカーボネート、ＡＢＳプラスチック、又は類似するプラスチック材料などのプラスチック材料、又は、アルミニウム等の金属、防錆処理を施しためっき鉄等からなる。浮動ユニットは、側面、コーナー部、上面、下面が、全ての側面の長手方向の延び及び上面及び下面の垂直方向の延びのために取り付けられ得る構造を有するように形成される。本発明の実施例は、本発明の詳細な説明の明確な開示のために例示され、拡大図及び追加の図は、本開示を明瞭にするために提供される。
【００１３】
一実施例によれば、本発明による浮動ユニットは、浮動構造を構築するための係止によって別の浮動ユニットに取り付けることができ、浮動ユニットは、上から見て中空多角形の形態の浮動体を備える。浮動体は、上面、下面、及び上面及び下面に接続された複数の側面を備える。浮動体の上面及び下面は、多角形浮動体のそれぞれの関連する側にそれぞれ少なくとも１つの上側係合面及び少なくとも１つの下側係合面を含み、上側係合面及び下側係合面のそれぞれは、係止体の係止面に嵌合されるように構成され、浮動体を別の浮動ユニットの浮動体に取り付けることができ、浮動体の上下の係合面は、それぞれ複数のノッチから構成され、それぞれのノッチは浮動体の外向きに傾斜した接触面を有し、使用中に、上部係合面のノッチの対応する接触面と下部係合面のノッチの対応する接触面とが係止の係止面に接触し、浮動ユニットが別の浮動ユニットに取り付けられ得る。
【００１４】
本発明の別の実施例によれば、浮動ユニットは、浮動構造を構築するための係止によって別の浮動ユニットに取り付けられ得、浮動ユニットは上から見て中空多角形の形態の浮動体を含む。浮動体は、上面、下面、及び上面及び下面に接続された複数の側面を備える。浮動体の上面及び下面は、多角形浮動体のそれぞれの関連する側にそれぞれ少なくとも１つの上側係合面及び少なくとも１つの下側係合面を含み、上側及び下側係合面はそれぞれ、係止体の係止面に嵌合して浮動体を別の浮動ユニットの浮動体に取り付けられるように構成され、浮動体の上側及び下側係合面はそれぞれ周辺溝１０と周辺溝に連通する径方向凹所２を備え、上側係合面２００と下側係合面２０２との接触面が傾斜し、使用中に、対応する周辺溝１０、径方向凹部２、及び上側係合面２００の及び下側係合面２０２の接触面が、係止の係止面と接触するので、浮動ユニットが別の浮動ユニットに取り付けられ得る。
【００１５】
本発明の別の実施例によれば、浮動構造は、本発明の実施例の１つによる、複数の浮動ユニット、及び複数の係止を備え、各浮動ユニットは、係止によって別の浮動ユニットに取り付けられ、係止ロッドの壁を貫通し係止ロッドの一端に隣接して配置された少なくとも２つの孔を有する中空の円筒形ロッドの形態の係止ロッドと、係止ロッドがぴったりと挿入されるのに適した中央貫通孔を有し浮動ユニットの上側係合面又は下側係合面と係合するように構成された係合面を備えた係止接続要素と、円弧部分の形態で係止ロッドの外側をぴったりと囲み得、それぞれの内側に、一対の係止係合要素が係止ロッドの外側を囲んでいる状態で、係止ロッドの対応する孔にぴったりと挿入するための少なくとも１つのラッチを備えた、一対の係止係合要素と、係止ロッドの外側が一対の係止係合要素によってぴったり囲まれた状態で係止ロッドの端部をはめて覆う、係止挿入要素と、をそれぞれ備え、使用中に、各係止係合要素の先端が対応する係止接続要素に当接して、係止接続要素の係合面が少なくとも２つの浮動ユニットの対応する上側又は下側係合面に一緒に係止され、浮動ユニットを係止して取り付けることができ、浮動構造がそれから構築され得る。
【００１６】
本発明の詳細な説明は、添付の図面と関連して、本発明の例示的な実施例の形で以下に与えられ、添付の図面における同様の要素は、同様の参照番号によって識別される。本発明の特定の実施例が図示され説明されたが、本発明を限定することを意図するものではなく、本発明の範囲は添付の特許請求の範囲で定義される。
【００１７】
図１Ａ〜図１Ｄは、本発明による浮動構造を構築するための係止によって別の浮動ユニットに取り付け得る浮動ユニットの第１の実施例を示す。
【００１８】
図１Ａによれば、浮動ユニットは、正面図に示されるように、中空の正三角形の形態をした浮動体１００を備えており、図１Ｄは、下から見た平面図である。浮動体１００は、上面１０１と、下面１０３（下から見た平面図である図１Ｄ参照）と、上面１０１及び下面１０３に接続された３つの側面１０５とを備える。
【００１９】
図１Ｂ及び１Ｃは、コーナー部及び側方エッジ部にそれぞれ位置する係合面を示す。浮動体１００には、コーナー部（図１Ｂに示す）及び側方エッジ部（図１Ｃに示すように、多角形浮動体の各側方エッジ部に少なくとも１つの係合面）に位置する上側係合面２００、並びに、下側係合面２０２（図１Ｄ参照）が設けられる。下側係合面２０２は同一であり、上側係合面２００の鏡像のように見える。
【００２０】
各上側及び下側係合面（２００及び２０２）は、係止の係止面に嵌合するように構成され、係止の詳細については後述する。したがって、浮動体は、別の浮動ユニットの浮動体に取り付けられ得る。
【００２１】
これらの係合表面は、水平及び垂直方向の両方で外部接続デバイスを有する別の浮動ユニット及び組立体との組み立てを容易にするための表面として機能する。
【００２２】
図１Ａによれば、浮動本体１００の少なくとも１つの側面１０５に、一定の幅と曲率を有する凹部の形態である主凹部１及び／又は凹所６が設けられ、その長さは側面に沿って上端から底部まで完全に延びる。凹所６は、浮動体の上面１０１から下面１０３まで延在している。同様に、浮動体の側面に外向きに延びた凸部の形態で且つ一定の大きさ及び形状を有する少なくとも１つの突起７が、凹所６にぴったりと係合するように設けられてもよい。
【００２３】
図１Ｂ及び図１Ｃによれば、それぞれが一定の幅、長さ及び深さを有し内部に貫通していない少なくとも１つ又は複数の溝２が、主凹部１に隣接する上面及び下面のそれぞれ領域に形成される。主凹部１に隣接する溝２は、上下両面において周期的に離間している。一定の径及び深さを有し内部に貫通していない凹部３が、浮動ユニットの上面及び下面のそれぞれの領域に形成される。凹部３は、楕円形状若しくは他の形状であってもよいし、対応する溝２に連通しており、溝２の凹部３近傍に配置された一端の深さは、溝２の主凹部１近傍に配置された他端よりも浅くて、溝２が主凹部１から凹部３に向かって上方に傾斜する。一定の幅、曲率及び深さを有し内部に貫通していない湾曲溝４が、浮動ユニットの上面及び下面のそれぞれの領域に形成されてよく、湾曲溝４は、対応する既存の凹部３に連通し、湾曲溝４の両端は、正三角柱形状の浮動ユニットの左右両側又は対応する同じ側で終端する。
【００２４】
浮動ユニットの両側の少なくとも一方には、一定の幅及び長さを有し側面に沿って上側係合面から下側係合面まで完全に延びる少なくとも１つの凹所６が設けられて、これに取り付ける必要がある別の浮動ユニットの突起７がこの凹所に係合され得る。同様に、正三角柱形状の浮動ユニットの両側の少なくとも一方には、所定の幅及び長さを有し側面に沿って上側係合面と下側係合面とのに完全に延びている少なくとも１つの突起７が設けられて、そこに取り付けられる必要がある別の浮動ユニットの凹所６がこの突出部に係合され得る。
【００２５】
図１Ｂに示すように、中空の正三角柱形状の浮動ユニットの６０度コーナー部には、係止のシャフトを挿入させるための、一定の幅を有する凹部の形態の主凹部５又は凹所６が設けられるか、又は、それは、このコーナー部において上側係合面と下側係合面との間に完全に延びる傾斜部であり得る。
【００２６】
浮動体の上側係合面２００及び下側係合面２０２は、同一の特徴を有する。各係合面は、表面に延在する溝の形をした周辺溝４、及び斜めに延在し周囲溝４と連通し溝の両壁に隆起を有する複数の径方向溝２を含み、周辺溝４の壁によって係止（図示せず）の移動を防止し得る。この隆起部は、係合面と係止との間に摩擦を生じさせるためのくさび形の傾斜接触面を有してもよい。使用中、周辺溝４及び上側係合面２００及び下側係合面２０２の対応する接触面は、係止（図示せず）の係止面に係合される。したがって、浮動ユニットは、別の浮動ユニットにしっかりと取り付けられ得る。
【００２７】
図１Ｂ及び図１Ｃに示すように、一定の幅、長さ及び深さを有し内部に貫通されない傾斜溝状の溝２が、主凹部５に隣接して配置される浮動ユニットの上面及び下面のそれぞれの領域に形成される。所定の直径及び深さを有し内部に貫通していない凹部３が浮動ユニットの上面及び下面のそれぞれの領域に形成される。凹部３は、楕円形状若しくは他の形状であってもよく、対応する溝４及び傾斜溝２に連通しており、凹部３の近傍に配置される凹部２の一端の深さは、主凹部５の近傍に配置される溝２の他端の深さよりも浅くて、溝２が凹部３に向かって主凹部５から上方に傾斜する。一定の幅、曲率及び深さを有し内部に貫通しない少なくとも１つの湾曲溝４が、浮動ユニットの上面及び下面のそれぞれの領域に形成されてよく、湾曲溝４は凹部３の左右両側に連通し、湾曲溝４の両端部は正三角柱形状の浮動ユニットのそれぞれ隣接する側で終端する。
【００２８】
図１Ｄによれば、中空の正三角柱形状の浮動ユニットは、上述した上面と同一である下面を有するので、繰り返して説明しない。滑り止め面は、接着剤又はネジで浮動ユニットに固定される滑り止め溝パターン（図示せず）、滑り止め被覆層、又は滑り止めシートの形態で、正三角柱形状の浮動ユニットの上に配置されてよい。一定の直径及び深さのある内部に挿通されない少なくとも１つの孔８が、浮動ユニットの上面及び下面に配置されてよく、孔にプラグ（図示せず）の固定を容易にする内部ねじが設けられてよく、孔が一定の距離で離れてよい。孔８は、水、砂、セメントコンクリート等の水と同等以上の密度を有する材料を浮動ユニットに充填するための孔であり、孔が閉塞されて浮動ユニットが必要に応じて水に浸漬される。さらに、孔は、浮動ユニットから液体（水）を排出するために空気を充填するための孔として機能することができ、水中の浮動ユニットが浮き上がれる。さらに、孔８に、雌ねじ又は雌ねじが設けられ得、キャップとして機能する外部ねじプラグ（図示せず）が孔にねじ込められる。
【００２９】
図２Ａ〜２Ｃは、第１の実施例から変更された、本発明による浮動ユニットの第２の実施例を示しており、同じ部分には同じ参照番号が付される。
【００３０】
図２Ａ及び図２Ｂによれば、外部デバイスの係止接続を容易にする別の構造が示される。浮動ユニットの浮動体は、中空の直角二等辺三角形の形態をとる。浮動ユニット間の組み立てを容易にする構造を有する浮動体は、浮動ユニットの上側及び下側の外部接続デバイスとの組み立てをそれぞれ容易にするための上側係合面２００及び下側係合面２０２を含む。
【００３１】
図２Ｂは、周辺溝１０と周辺溝に隣接して位置する隆起部とを含む、浮動ユニットの直角コーナー部の係合面を示しており、径方向に延びる傾斜面を有する少なくとも１つの傾斜溝２が、摩擦を生じる隆起部から形成される。一定の幅を有する凹部形状の主凹部９が、係止を挿入するための直角コーナー部に形成されていてもよいし、上側係合面と下側係合面との間に完全に延びる直角コーナー部で斜面でもよい。一定の幅、長さ及び深さを有し内部に貫通していない少なくとも１つ又は複数の溝２が、主凹部９に隣接する上面及び下面の各領域に形成される。溝２は、主凹所９に隣接し且つ径方向に周期的に間隔をおいて配置されており、この特徴は、上面と下面とで同じである。浮動ユニットの上面及び下面の各領域には、一定の幅、曲率及び深さを有し内部に貫通しない湾曲溝１０が設けられ、既存の傾斜溝２に接続され、それぞれの傾斜溝２が、主凹部９に連通する他端部より浅い周辺溝１０に連通する一端部の深さを有して、傾斜溝２が主凹部９から周辺溝１０に傾斜し、周辺溝４の両端が直角コーナー部のそれぞれ隣接する側で終端する。
【００３２】
図２Ｃは、浮動体の下面を示しており、これは同一であり、上面の鏡像であるように見えるため、繰り返して説明しない。
【００３３】
図２Ａは、中空の直角二等辺三角柱形状の浮動ユニットの３辺の全てを示しており、浮動体の少なくとも１つの側面には、一定の幅、曲率を有する凹部の形態の主凹部１が設けられ、その長さ側面に沿って上面から下面まで完全に延びる。主凹部１に隣接する上面及び下面の各領域には、周方向溝１０及び径方向に離間した複数の傾斜径方向溝２が設けられる。傾斜溝２は主凹部１に連通し周期的に離間する。浮動ユニットを他の浮動ユニットに組み立てる際に、上面及び下面のそれぞれの領域において、周辺溝１０は実質的に外側円を形成し、隆起は上方から見て実質的に内側円を形成する。
【００３４】
図２によれば、中空の直角二等辺三角柱形状の浮動ユニットの４５°コーナー部には、凹部の形態か、又は、コーナー部に沿って上側係合面と下側係合面との間に完全に延びた傾斜部の主凹部１１が設けられてよい。主凹部１１に隣接する浮動ユニットの上面及び下面の各領域には、内部に貫通していない一定の幅、長さ及び深さを有する傾斜溝２が設けられ主凹面１１に上側と下側の両方で連通している。浮動ユニットの上面及び下面の各領域は、所定の幅、曲率、深さを有し内部に貫通しない傾斜溝２に連通する周辺溝１０、及び、周辺溝１０と連通する一端での深さが主凹部１１に連通する他端部よりも浅く傾斜溝２が主凹部１１から周辺溝１０に上方に傾斜し周辺溝１０の両端がコーナー部の隣接するそれぞれの側で終端する傾斜溝２を備える。
【００３５】
図２Ａによれば、中空の直角二等辺三角柱形状の浮動ユニットの両側の少なくとも一方には、少なくとも１つの係合凹所６、及び、凹所６に対応する大きさの少なくとも１つの係合突起７が設けられて、突起は凹所にぴったりと係合され得る。中空の直角二等辺三角柱形状の浮動ユニットの上面及び下面のそれぞれの領域に、滑り止め溝パターン又は滑り止め層（図示せず）が設けられてよい。浮動ユニットの上面及び下面の各領域には、先の実施例と同じ少なくとも１つの孔８が設けられているので、繰り返し説明しない。
【００３６】
図３Ａ〜３Ｃは、本発明による浮動ユニットの第３の実施例を示しており、同じ部分には同じ参照番号が付され、繰り返し説明しない。
【００３７】
図３によれば、外部デバイスの係止接続を容易にするための浮動ユニットの別の構造が示される。浮動ユニットの浮動体は、浮動ユニット間の組み立てを容易にするための構造を有する中空の直角二等辺三角柱の形態であり、外部接続デバイスとの組立体を水平及び垂直の両方向に備える。浮動ユニットの３つの側面の全てに、少なくとも１つの主凹部１又は凹所が一定の幅を有する凹部の形態の凹部が設けられ、その長さが側面の高さに沿って上側係合面から下側係合面まで完全に延びる。主凹部１に隣接して配置された浮動ユニットの上面及び下面のそれぞれの領域には、それぞれ下向きに傾斜した陥凹部の形をしたノッチ１２を含む上下の係合面がそれぞれ設けられ、内側に位置するノッチ１２の幅は、外側に向かって広がる陥凹部の形態で配置された幅よりも大きい。ノッチ１２は特定の幅と深さを有しているので、拡開傾斜ノッチ１２はそれにぴったりと係合することが必要なデバイスと係合し得る。
【００３８】
図３Ａによれば、中空の直角二等辺三角柱形状の浮動ユニットの両側の少なくとも一方には、一定の幅を有する少なくとも１つの係合凹所６が設けられ、その長さが側面に沿って上側係合面から下側係合面に完全に延び、これに取り付けられる必要がある別の浮動ユニットの係合突起７がこの凹所に係合され得る。同様に、中空の直角二等辺三角柱形状の浮動ユニットのいずれかの辺の少なくとも１つには、一定の幅と曲率を有する少なくとも１つの係合突部７が設けられ、その長さは側面に沿って上側係合面と下側係合面との間に完全に延び、これに取り付けられる必要がある別の浮動ユニットの係合凹所６がこの突起に係合され得る。中空の直角二等辺三角柱形状の浮動ユニットの上面及び下面のそれぞれの領域に、滑り止め溝パターン又は滑り止め層（図示せず）が設けられてよい。浮動ユニットの上面及び下面のそれぞれの領域に、少なくとも１つの孔８が設けられ、孔は一定の距離だけ離間していてもよい。孔８は、材料を充填するための孔として機能し、浮動ユニット内に水と同等以上の密度を持たせた後、孔を閉じ、浮動ユニットは必要に応じて水中に沈められる。さらに、孔は、浮動ユニットから液体（水）を排出するために空気を充填するための孔として機能することができるので、水中浮動ユニットが浮き上がれる。
【００３９】
図３Ｂは、係合面における、特別に設計されたノッチ１２を示す拡大図である。
【００４０】
図３Ｃは、浮動ユニットの表面の上面図を示し、下面は上面と同じであり、上面の鏡像のように見える。
【００４１】
図４は、本発明による浮動ユニットの第４の実施例を示しており、同じ部分には同じ参照番号が付され、繰り返して説明しない。
【００４２】
図４によれば、外部デバイスの係止接続を容易にするための中空の直角二等辺三角柱形状の浮動ユニットの別の構造が示される。浮動ユニットは、浮動ユニットと外部接続デバイスとの組み立てを水平方向及び垂直方向の両方向に容易にするための構造を有する。浮動ユニットの３つの側面の全ての側面の少なくとも一方に、凹部の形態の少なくとも１つの主凹部１又は凹所が設けられてもよく（図示せず）、上側係合面２００と下側係合面２０２との間に延在する。主凹部１に隣接する浮動ユニットの上面及び下面の各領域には、少なくとも１つ又は複数の傾斜溝又は陥凹部１４が設けられ、それらが周期的に離間している。拡開傾斜陥凹部１４は、一定の幅と深さを有し各エッジ・コーナー部１５に向かって広がって傾斜して、エッジ・コーナー部１５間の距離が主凹部１に隣接する陥凹部１４の幅よりも大きく、エッジ・コーナー部１５間の間隔が主凹部１に隣接する陥凹部の間隔よりも急である。また、一定の幅、深さ、曲率及び長さを有し内部に貫通していない湾曲溝４ａが、浮動ユニットの上面及び下面のそれぞれの領域に形成されていてもよく、湾曲部が、既存のエッジ・コーナー部１５で対応する拡開傾斜陥凹部１４と連通するように形成され、湾曲溝４ａの両側端部は、対応する同じ側の主凹部の左右両側で終端する。
【００４３】
図４Ｂによれば、中空の直角二等辺三角柱形状の浮動ユニットの直角コーナー部には、一定の幅を有する凹部の形態の少なくとも１つの主凹部９又は凹所が設けられているか、又は、上側係合面と下側係合面との間に完全に延在する直角コーナー部における傾斜部であり得る。主凹部９に隣接する浮動ユニットの上面及び下面の各領域には、少なくとも１つ又は複数の拡幅傾斜陥凹部１４が設けられ、周期的に離間している。拡開傾斜陥凹部１４は、一定の幅と深さを有しそれぞれのエッジ・コーナー部１５に向かって広がって傾斜し、エッジ・コーナー部１５間の距離が主凹部９に隣接して位置する拡開傾斜陥凹部１４の幅よりも大きくなり、エッジ・コーナー部１５間の間隔が主凹部９に隣接して配置される陥凹部１４の間隔よりも急である。一定の幅、深さ、湾曲、長さを有し内部に貫通されない湾曲溝４ａが浮動ユニットの上面及び下面のそれぞれの領域に形成され、湾曲溝は、既存のエッジ・コーナー部１５で対応する拡開傾斜陥凹部１４と連通するように形成され、湾曲溝４ａの両端は直角コーナー部の隣接する辺のそれぞれで終端される。
【００４４】
図４Ｃによれば、中空の直角二等辺三角柱形状の浮動ユニットの４５度コーナー部には、主凹部１１又は一定の幅を有する凹部の形態の凹所が設けられてよいし、又は、上側係合面と下側係合面との間に完全に延びるコーナー部の傾斜部を有し得る。主凹部１１に隣接して配置された浮動ユニットの上面及び下面のそれぞれの領域には、少なくとも１つの拡開傾斜陥凹部１４が設けられる。拡幅傾斜陥凹部１４は一定の幅及び深さを有し、それぞれのエッジ・コーナー部１５に向かって広がり傾斜して、エッジ・コーナー部１５間の距離が主凹部１１に隣接する拡幅傾斜陥凹部１４の幅よりも大きくなり、エッジ・コーナー部１５の間隔は主凹部１１に隣接する陥凹部１４の間隔よりも急である。一定の幅、深さ、曲率及び長さを有し内部に貫通していない湾曲溝４ａが浮動ユニット上面及び下面のそれぞれの領域に形成されてよく、湾曲した溝が、既存のエッジ・コーナー部１５で対応する拡幅傾斜陥凹部１４と連通するように形成され、湾曲溝４ａの両端はコーナー部のそれぞれ隣接する側で終端する。
【００４５】
図４Ａによれば、中空の直角二等辺三角柱形状の浮動ユニットの両側の少なくとも一方には、所定の幅を有する少なくとも１つの係合凹所６が設けられ、その長さが側面に沿って上側係合面から下側係合面まで完全に延び、これに取り付けられる必要がある別の浮動ユニットの係合突起がこの凹所に係合され得る。同様に、中空の直角二等辺三角柱形状の浮動ユニットの両側の少なくとも一方には、所定の幅と曲率を有する少なくとも１つの係合突起７が設けられ、その長さが側面に沿って上側接合面及び下側接合面の間に完全に延び、これに取り付けられる必要がある別の浮動ユニットの係合凹所６がこの突出部に係合し得る。中空の直角二等辺三角柱形状の浮動ユニットの上面及び下面のそれぞれの領域に、滑り止め溝パターン又は滑り止め層（図示せず）が設けられてよい。また、浮動ユニットの上面及び下面の各領域には、所定の直径及び深さを有し内部に貫通していない少なくとも１つの孔８が設けられ、所定の距離及び間隔を空けて配置される。孔８は、水と同等以上の密度の材料を浮動ユニットに充填するための孔であり、その後、孔を閉塞することにより、浮動ユニットが必要に応じて水中に沈められる。さらに、孔は、浮動ユニットから液体（水）を排出するために空気を充填するための孔として機能することができるので、水中浮動ユニットが浮き上がれる。
【００４６】
図５は、図４による浮動ユニットを組み立てて単一フロア浮動構造を構築するプロセスの例を示す。
【００４７】
図５によれば、一方の浮動ユニットの係合突起７と係合凹所６、別の浮動ユニットのそれぞれ係止凹所６と係合突起７が係合し、係止の係止要素３６は、対応する上下接合面（２００及び２０２）（図示せず）にぴったりと取り付けられて、浮動ユニットを互いに係止し得る。この組み立て後に形成された外部デバイス設置チャネル３００は、浮動構造の中央に位置する実質的に円形の形状をしている。
【００４８】
図６は、本発明による浮動ユニットの第５の実施例を示しており、同じ部分には同じ参照番号が付され、繰り返して説明しない。
【００４９】
図６によれば、外部デバイスの係止接続を容易にするための中空の六角柱形状の浮動ユニットの別の構造が示される。浮動ユニットは、浮動ユニット間の組み立て及び外部接続デバイスとの組み立てを水平方向及び垂直方向の両方向に容易にするための構造を有する。中空の六角柱形状の浮動ユニットの６つの側面の少なくとも１つに、一定の幅を有する凹部の形態で上側係合面及び下側係合面間に延びる主凹部１、又は凹所が設けられる。主凹部１に隣接して位置する浮動ユニットの上面及び下面のそれぞれの領域に、一定の幅及び深さを有するノッチ１６を含む係合面が設けられている。ノッチ１６は、部分１７に向けて窪み、各コーナー部１８に内向きに上方に広げられて、それに係合させる必要のあるデバイスに係合可能な構造を形成する。
【００５０】
図６Ａによれば、中空の六角柱形状の浮動ユニットの両側の少なくとも一方には、所定の幅を有する少なくとも１つの係合凹所６が設けられ、その長さが側部に沿って上側係合面から下側係合面まで完全に延び、これに取り付けられる必要のある別の浮動ユニットの係合突起がこの凹所に係合され得る。同様に、中空の直角二等辺三角柱形状の浮動ユニットの両側の少なくとも一方には、所定の幅、曲率を有する少なくとも１つの係合突起７が設けられ、その長さが側面に沿って上側係合面から下側係合面間の完全に延び、これに取り付けられる必要のある別の浮動ユニットの係合凹所６がこの突出部に係合し得る。
【００５１】
図６Ｂは、この実施例による六角形浮動ユニットの上側平面図である。図６Ｃは、浮動ユニットの係合面の拡大図である。
【００５２】
図６Ｂによれば、中空の六角柱形状の浮動ユニットの上面及び下面のそれぞれの領域に、滑り止め溝パターン（図示せず）が設けられてもよい。浮動ユニットの上面及び下面のそれぞれの領域には、一定の直径及び深さを有し内部に貫通されない少なくとも１つの孔８が設けられ、孔は一定の距離だけ離間していてもよい。孔８は、浮動ユニットに材料を充填するための孔であり、その後、孔が閉じられ必要に応じて浮動ユニットが水中に沈められる。さらに、孔は、浮動ユニットから液体（水）を排出するために空気を充填するための孔として機能することができるので、水中浮動ユニットが浮き上がれる。
【００５３】
図７は、図６による浮動ユニットを組み立てて単一フロア浮動構造を構築するプロセスの例を示す。
【００５４】
図８Ａ〜図８Ｃは、本発明による浮動ユニットの第６の実施例を示しており、同じ部分には同じ参照番号が付され、繰り返して説明しない。
【００５５】
図８によれば、外部デバイスの係止接続を容易にするための中空の直方体形状の浮動ユニットの別の構造が示される。浮動ユニットは、浮動ユニットとの組み立て及び外部接続デバイスとの組み立てを水平方向及び垂直方向の両方向に容易にするための構造を有する。直方体形状の浮動ユニットの各直角コーナー部には、主凹部９、又は直角コーナー部に一定の幅と曲率を有する形態の凹所が設けられていてもよく、又は、上側係合面と下側係合面との間に完全に延在するこのコーナー部での傾斜部であってもよい。主凹部９に隣接する浮動ユニットの上面及び下面の各領域には、主凹部９の湾曲したエッジ部に対応する一定の幅及び長さを有する湾曲した隆起１９が設けられ、湾曲隆起１９の頂部の高さは上面の高さに達しておらず、湾曲した隆起部の底部も下面の高さに達していない。
【００５６】
図８Ｂ及び図８Ｃによれば、湾曲した隆起１９に隣接する係合面２００の領域に周辺溝２０が設けられる。周辺溝２０は一定の幅及び深さを有し、周辺溝２０の両端は直角コーナー部のそれぞれの隣接する側で終端する。
【００５７】
図８Ｃによれば、中空の直方体形状の浮動ユニットの４つの側面の少なくとも１つの側面に主凹部１又は凹部の形態の凹所を設け、一定の幅、曲率を有し、その長さが側面の高さに沿って完全に延び、上側が上側表面の隣に位置し、下側もまた下側表面の隣に位置する。主凹部１の上側及び下側の各領域には、主凹部１の隣に位置する湾曲隆起部１９が形成される。この湾曲隆起部１９は、主凹部１の湾曲エッジ部に対応する幅及び長さを有し、湾曲隆起部１９の頂部の高さは上面の高さに達せず、湾曲隆起部の底部の高さも下面の高さに達しない。対応する湾曲稜線１９の隣に位置する各領域に、一定の幅と深さを有する周辺溝２０が設けられ、その周辺溝２０の両端は、浮動ユニットの対応する同じ面で左右側それぞれで終端する。
【００５８】
図８によれば、中空の直方体形状の浮動ユニットの両側の少なくとも一方には、一定の幅を有する少なくとも１つの係合凹所６が設けられ、その長さは側部に沿って上側係合面から下側係合部まで完全に延び、これに取り付けられる必要のある別の浮動ユニットの係合突起がこの凹所に係合され得る。同様に、中空の直角二等辺三角柱形状の浮動ユニットの両側の少なくとも一方には、一定の幅と曲率を有する少なくとも１つの係合突起７が設けられ、その長さが側面に沿って上側係合面と下側係合面との間に完全に延び、これに取り付けられる必要のある別の浮動ユニットの係合凹所６がこの突出部に係合し得る。
【００５９】
中空の四角柱形状の浮動ユニットの上面及び下面の各領域には滑り止め溝パターンや滑り止め層（図示せず）を設けられてよい。浮動ユニットの上面及び下面のそれぞれの領域には、一定の直径及び深さを有し内部に貫通していない少なくとも１つの孔８も設けられ、孔は一定の距離を離してもよい。孔８は、浮動ユニットに材料を充填するための孔であり、その後、孔が閉じられ、必要に応じて浮動ユニットが水中に沈められる。さらに、孔は、浮動ユニットから液体（水）を排出するために空気を充填するための孔として機能することができるので、水中浮動ユニットが浮き上がれる。
【００６０】
図９は、図４に示す第４の実施例に係る浮動ユニットの他の構造を示しており、他の浮動ユニット又は外部デバイスとの組み立てを容易にするものであり、同じ部品には同じ参照番号が付され、繰り返し説明しない。
【００６１】
図９は、別の浮動ユニットとの組み立て、又は、外部デバイスとの組み立てを容易にするための浮動ユニットの構造を示す。図４に示す第４の実施例に係る浮動ユニットは、前述したように、水平及び垂直方向の、浮動ユニット同士の組み立て、及び、外部接続デバイスとの組み立てを容易にする構造を有する中空の直角二等辺三角柱形状の浮動ユニットである。
【００６２】
以下では、ポストやパイプ等の外部デバイスを設置するために使用される汎用チャネルについて説明する。
【００６３】
図９によれば、三角形の浮動ユニットの斜辺の領域には、一定の幅と曲率を有する凹部２１が設けられ、その長さが三角形の浮動ユニットの斜辺の高さに沿って上側係合面から下側係合面まで完全に延びる。凹部２１の左右両側には、所定の曲率及び幅を有する湾曲傾斜肩部２２がそれぞれ設けられ、その長さが三角形の浮動ユニットの斜面の高さに沿って上側係合面から下面係合面まで完全に延びる。凹部２１の内部には少なくとも１つの凹所２３が形成されていてもよく、凹所２３は一定の曲率及び幅を有し、その長さは凹部２１の長さに沿って完全に延びている。凹部２１に隣接する上面及び下面のそれぞれの領域には、それぞれ上面及び下面の停止エッジ部２５に向かって上方に拡開した傾斜陥凹部２４が設けられる。停止エッジ部２５は、一定の曲率、幅及び長さを有し、左右それぞれのエッジ・コーナー部２６で終端する。エッジ・コーナー部２６間の停止エッジ部２５の長さは、凹部２１に隣接して位置する陥凹部２４の長さよりも長い。拡開傾斜陥凹部２４はまた、凹所２３の上側及び下側と部分的に交差している。拡開傾斜陥凹部２４は、係合され且つ係止される必要がある補助浮動ユニットを係止して、係合するための係止として働く。さらに、下面は上面と同一であり、上面の鏡像のように見える。
【００６４】
図１０は、浮動ユニット間の組み立て及び水道管、電線管などの外部接続デバイスとの組み立てを容易にするための構造と組み合わせて使用される補助浮動ユニットの詳細を示す。
【００６５】
図１０によれば、補助浮動ユニット２７は、２つの半円筒状片の形態である。半円筒形片２７は、中空で、一定の直径、幅及び長さを有し、上側は上面の隣に位置し、下側も下面の隣に位置する。各上面及び下面には、一定の幅、曲率、及び長さを有する翼部２８が設けられ、上下両側の左右エッジ・コーナー部２９まで延びている。翼部２８は、半円筒形片２７の外側から突出しているが、翼部２８の両エッジ・コーナー部２９は、上側と下側の両方の円筒形浮動ユニットの半切り線でエッジ・コーナー部３０に至らずに延びる。翼部２８を通って延びる翼部の両左右エッジ・コーナー部２９は、それぞれ、対応する稜線３１において補助浮動ユニット２７の外側に向けて傾斜して到達し、両エッジ・コーナー部２９は、それぞれ、補助浮動ユニット２７の上側と下側部分の外側で左右のエッジ・コーナー部３２に向かって傾斜する。各エッジ・コーナー部３２は円筒形浮動ユニットの半切り線に到達しない。エッジ・コーナー部２９は、上下の左右両側部分において補助浮動ユニット２７の上面及び下面のエッジ・コーナー部３３まで延在し、エッジ・コーナー部３０と一定距離を有するエッジ・コーナー部３３との間に隙間が形成される。補助浮動ユニット２７の外側には、一定の幅と曲率を有する凸部３４が設けられて、その長さが補助浮動ユニット２７の側方に沿って全長に延びて、上下部の凸突起が翼部２８の中に部分的に延びる。補助浮動部２７は、詳細な説明に示されるように、図９による直角二等辺三角柱形状の浮動ユニットの凹部２１に係合されて、同時に、補助浮動ユニット２７の翼部根２８が、図９による浮動ユニットの拡開傾斜陥凹部２４に嵌合し、図９による上下両方部分の拡開傾斜陥凹部２４の左右エッジ・コーナー部２６が、それぞれ補助浮動ユニット２７のエッジ・コーナー部３０とエッジ・コーナー部３３との間に形成された隙間に係止され、図９に示すように、補助浮動ユニット２７の凸状突起３４又は凸状楔は、凹部２３にそれぞれ嵌め込まれる。
【００６６】
浮動ユニットの上面及び下面のそれぞれの領域には、所定の直径及び深さを有し内部に貫通されていない少なくとも１つの孔８が設けられ、孔は所定の距離及び間隔を空けて配置される。孔８は、浮動ユニットに材料を充填するための孔であり、その後、孔が閉じられ、必要に応じて浮動ユニットが水中に沈められる。さらに、孔は、浮動ユニットから液体（水）を排出するために空気を充填するための孔として機能することができるので、水中浮動ユニットが浮き上がれる。
【００６７】
半円筒形片２７ａの平らな内面は、波形にすることができ、又は補強のための補強フィンを有し得る。中空の四角柱形状の浮動ユニットの上面及び下面の各領域には、滑り止め溝パターン（図示せず）を設けてもよい。浮動ユニットの上面及び下面のそれぞれの領域には、孔が所定の距離及び間隔を空けて配置された、所定の直径及び深さを有し内部に貫通されていない少なくとも１つの孔８が設けられる。孔８は浮動ユニットに材料を充填するための孔であり、その後孔が閉じられ必要に応じて浮動ユニットが水中に沈められる。さらに、孔は、浮動ユニットから液体（水）を排出するために空気を充填するための孔として機能することができるので、水中浮動ユニットが浮き上がれる。
【００６８】
図１１は、係止の主係止接続要素の一形態を示し、図１に示す第１の実施例の浮動ユニットの係合面に係合する要素として機能し、同一の部分には同一の符号を付し、繰り返して説明しない。
【００６９】
図１１によれば、主係止シャフト３５が上方及び下方から見て示される。主係止シャフト３５は、一定の直径及び長さを有する中空の円筒形要素の形態であり、主係止シャフト３５の内側の一定の深さに形成された基部３６を有する。基部３６は、一定の直径を有する孔３７を有し内部に貫通し、基部３６は、主係止シャフト３５の上端と同一面であってもよい。主係止シャフト３５の外側には、幅、長さ、高さを有する部分３８が設けられ、２つの（又は少なくとも１つの）部分３８は、主係止シャフト３５の外側に接続され、主係止シャフト３５の外側に沿ってある距離を隔てて周期的に離間している。部分３８のそれぞれの端部は、主係止シャフト３５の上端部に接続され、部分３８のそれぞれの端部は、それぞれの部分３９に接続される。部分３９は、ある直径、幅、及び長さを有する中空の円筒形部分であり、楕円形断面又は他の断面形状を有する部分の形で形成することができ、部分３９の上側を閉じ得る。部分３９の隣に位置する部分３８の高さは、主係止シャフト３５の外側に隣接する部分３８の高さよりも低く、これにより、主係止シャフト３５の上側エッジ部の下側で接続される部分３８は部分３９に向かって傾斜する。
【００７０】
湾曲部分４０は、２つの部分３９の間に配置され得、湾曲部分４０は、一定の幅及び厚さを有し、その長さは２つの部分３９の間の距離に対応し、各湾曲部分が２つの部分３９に全ての既存の部分３９と共に接続されて、部分３９が湾曲部分で共に接続されて円環状に形成される。主係止シャフト３５は、図１による浮動ユニットの係合構造のための係止接続要素である。
【００７１】
図１２は、図２に示される第２の実施例による浮動ユニットの係合面に係合される要素として役立つ係止の主係止接続要素の別の形態を示しており、同じ部分は同じ参照番号を付し、繰り返して説明しない。
【００７２】
図１２によれば、下方から見た主係止シャフト４１は、一定の直径及び長さを有する中空の円筒形要素の形態であり、主係止シャフト３５の内側に一定の深さに形成された基部３６を有する。基部３６は一定の直径を有し内部に貫通しない孔３７を有し、基部３６は、主係止シャフト３５の上端と同一面になっていてもよい。主係止シャフト３５の外側には、それぞれが一定の幅、長さ及び高さを有する部分３８が設けられ、２つ（又は少なくとも１つ）の部分３８は、主係止シャフト３５の外側に接続され、主係止シャフト３５の外側に沿って一定距離を隔てて周期的に離間する。部分３８の各端は、主係止シャフト３５の上側エッジ部に接続され、全ての部分３８のそれぞれの他端は、環状の区画部分４１に接続され、環状の区画部分４１は、一定の深さの基部４１ｂを有する中空環状部の形態であり、一定の深さで基部４１ｂを有する環状の区画部分４１を得るために半分に切断され、環状の区画部分は、部分３８と同一面である。環状の区画部４１の隣に配置された部分３８の高さは、主係止シャフト３５の隣に配置された部分３８の高さよりも低くて、上端下側の主係止シャフト３５に連結された部分３８が環状の区画部４１に向かって傾斜する。環状の区画部４１の内部には、環状の区画部４１の内側に対応する幅及び長さを有する少なくとも１つ又は複数の部分４１ａが設けられ、各部分４１ａは、環状の区画部４１の区画の内面に接続される。それぞれの部分３８は、対応する溝２内に挿入され、第２の実施例に従って、上側及び下側係合面２００、２０２（図２）の対応する周辺溝１０に嵌合して、係止接続要素が浮動ユニットの係合面に固定される。
【００７３】
図１３及び図１４は、図３に示す第３の実施例による浮動ユニットの係合面に係合する要素として機能する係止の主係止接続要素の別の形態を示しており、同じ部分は同じ参照番号を付し、繰り返して説明しない。
【００７４】
図１３Ａ及び図１３Ｂによれば、翼型係止シャフト４２が、第１の側及び第２の側からそれぞれ見られるように示される。図１４Ａ及び図１４Ｂによれば、翼型係止シャフト４２の他の形態が、それぞれ第１の側及び第２の側について見られるように示される。
【００７５】
翼型係止シャフト４２は主係止シャフト３５を有し、この主係止シャフトは一定の直径及び長さを有する中空の円筒形要素の形態であり、主係止シャフトの内側の所定の深さに基部３６が形成される（図１４Ａに示すように）。基部３６は、図１３Ａに示すように、ある直径を有する孔３７を内部に貫通しており、基部３６は、主係止シャフト３５の上側エッジ部と同一面にあってもよい。翼部４２が主係止シャフト３５の上端から左右のコーナー部４４に突出して広げられ、翼部４２の左右エッジ部がそれぞれＶ字に形成され、エッジ部が、翼部４２の中間部に配置されるエッジ・コーナー部４３から「Ｖ」形状の底部に「Ｖ」形状の脚部に沿ってそれぞれのコーナー部４４まで広がり、コーナー部４４（Ｖ字形状部分ではない）間の翼幅が、エッジ・コーナー部４３（Ｖ字状部分）間よりも広く、傾斜エッジ部がコーナー部４４から主係止シャフト３５の外側に位置するコーナー部４５まで形成されて、翼の厚さがコーナー部４５からコーナー部４３まで形成され、四隅全ての翼４２よりも低いところに配置される三角壁が、三角壁の頂点となるコーナー部４３、４４、４５により形成されて、翼型係止シャフト４２が得られる。
【００７６】
図１３Ｂによれば、片４２ａは翼部４２の下に配置され、図１３Ｂによる補強片として役立つ。複数の補強片４２ａはそれぞれ図１４Ｂに示すように一定の幅と長さを有しており、下から翼部４２に接続される。
【００７７】
さらに、図１３Ｂに示す補強片４２ａは全て、下から翼４２に既に取り付けられ、翼型係止シャフト４２は、図３による浮動ユニットの係合構造に関連する係止接続要素として機能する。
【００７８】
図１５は、図４に示す第４の実施例による浮動ユニットの係合面に係合する要素として機能する、係止の主係止接続要素の別の形態を上から下に見た図であり、同じ部分が同じ参照番号で参照され、繰り返して説明しない。
【００７９】
図１５Ａ及び図１５Ｂは、それぞれ上方及び下方から見た、拡開傾斜係止シャフト５０を示す。係止シャフト５０は、所定の直径及び長さを有する中空の円筒形の要素の形態である主係止シャフト３５、及び主係止シャフト３５の内部の所定の深さに形成された基部３６を有する。基部３６は所定の直径を有し内部に貫通する孔３７を有し、基部３６は、主係止シャフト３５の上端と同一面であってもよい。主係止シャフト３５の外側には、それぞれが一定の幅、長さ及び高さを有する部分４９が設けられることにより、図４の拡開傾斜陥凹部１４にそれぞれ嵌合可能となっている。部分４９の各端部は、主係止シャフト３５の上端に接続され、全ての部分のそれぞれの他端４９は、部分４９と同様に、主係止シャフト３５の上端の高さにある環状部分５０に接続される。環状部分５０は、一定の幅及び厚さを有する環状部分の形態である。環状部５０に隣接する部分４９の幅は、主係止シャフト３５に隣接する部分４９の幅よりも大きく、環状部５０に隣接する部分４９の高さは、主係止シャフト３５に隣接する部分４９の高さよりも低く、上端下側の主係止シャフト３５に接続された部分４９が拡径して環状部５０に向かって傾斜している。したがって、拡開傾斜係止シャフト５０は、図４による浮動ユニットの係合構造に関連する係止接続要素である。
【００８０】
図１６は、図６に示す第５の実施例による浮動ユニットの係合面に係合された要素として働く係止の主係止接続要素の別の形態を示し、同じ部分は同じ参照番号を付して繰り返して説明しない。
【００８１】
図１６によれば、翼型係止シャフト４６が示される。翼型係止シャフト４６は、主係止シャフト３５を有し、この主係止シャフトは、一定の直径及び長さを有する中空の円筒形要素であり、主係止シャフト３５の内側の所定の深さに基部３６が形成される。基部３６は、一定の直径を有する孔３７を有し内部に貫通し、基部３６は、主係止シャフト３５の上端と同一面でも有り得る。翼部４６が、主係止シャフト３５の上端高さに、主係止シャフト３５の上端の両側から主係止シャフト３５の上端と同じ高さに突出して広がって、翼部が、両側のコーナー部４７に広がり、コーナー部４７間の翼幅は主係止シャフト３５の外側に隣接して位置する翼の翼幅よりも大きく、翼の下側は四分球と同様の曲面の形態であり、中空の４分球が主構造体として働く主係止シャフト３５に接続され、点４８が曲面の最下点であるので、両方の翼部はそれぞれ下方に向けられた曲面を有する。
【００８２】
図１６によれば、翼部４６に補強用の補強片４８ａを設けることが好ましい。翼部４６の補強のために、一定の幅、高さ及び長さを有する少なくとも１つの補強片４８ａが四角形の内側に配置される。
【００８３】
翼型係止シャフト４６は、図７の浮動構造の例のように、図６の浮動ユニットの係合構造に関連する係止部品である。
【００８４】
図１７は、図６に示される第６の実施例による浮動ユニットの係合面に係合される要素として働く係止の主係止接続要素の別の形態を示し、同じ部分は同じ参照番号を付し、繰り返して説明しない。
【００８５】
図１７によれば、係止接続要素４６ａは、図１６に示す係止接続要素４６と同様の特徴を有する。但し、主構造である主係止シャフト３５ａは異なり、主係止シャフトは六角形である。その他の部分は同じであるため、繰り返して説明しない。
【００８６】
図１８は、図１７に示される主係止接続要素と共に使用される、本発明による浮動ユニットの第７の実施例を示す。
【００８７】
図１８によれば、浮動体の表面１０１の上平面図が示され、これは図６Ｂのものと同様である。しかし、主凹部１ａは全体で六角形状の形状をしており、この浮動ユニットを他の浮動ユニットに組み付ける際に、六角形形状となり、係止接続要素４６ａが中にぴったり係合され得る。
【００８８】
図１９Ａ及び図１９Ｂは、図８に示される第６の実施例による浮動ユニットの係合面に係合された要素として働く、上方及び下方から見た係止の主係止接続要素の別の形態を示し、同一の部分には同一の符号を付し、繰り返して説明しない。
【００８９】
係止接続要素３６に、その中央に貫通孔３７が設けられ、この貫通孔３７を介して係止ロッド５５を挿入するようになっており、係止接続要素３６は、上側係合面２００又は浮動ユニットの下側係合面２０２にぴったり係合され得る係合面を備える。
【００９０】
さらに、係止接続要素は、一定の直径を有する中空の円筒形シャフトの形態の主係止シャフト３５を有する。主係止シャフト３５の内部には、一定の深さに基部３６が形成される。基部３６には、所定の直径を有し内部に貫通する孔３７が設けられ、基部３６はまた、主係止シャフト３５の湾曲したエッジ部で主係止シャフト３５の上端に同一面であり得る。
【００９１】
この実施例では、この係止接続要素の係合面は、主係止シャフト３５に接続された湾曲リム５１、及び、湾曲リム５１に隣接して配置された環状陥凹部５２を備え、環状陥凹部５２は、リム５１の高さとほぼ同じ高さに形成されたリム５４を有し、リム５１は斜めに引き出されて、図８に示されるように第６の実施例に従った溝２０の内面に対応する主係止シャフト３５及び浮動体の係合面の隆起１９の壁に接続されて、それらはぴったりと係合され得る。
【００９２】
図１９によれば、係止シャフト５２の詳細が示され、係止シャフト５２は、主係止シャフト３５を有し、主係止シャフトは、一定の直径を有する中空の円筒シャフトの形態であり、基部３６が主係止シャフト３５の内部の所定の深さに形成される。基部３６には、一定の直径を有する孔３７が形成され内部に貫通する。主係止シャフト３５の上端領域には、湾曲リム５１が設けられ、湾曲リム５１は、一定の幅及び長さを有し主係止シャフト３５の湾曲した上端全体にわたって延びる。環状陥凹部５２は、湾曲リム５１に隣接して配置され、湾曲リム５１に隣接して配置され、環状陥凹部５２は、基部５３によって得られる一定の深さを有するので、環状陥凹部５２の深さは基部５３によって決定される。面５４は、環状陥凹部５２の外側上側エッジ部に形成され、環状陥凹部５２の湾曲した上側エッジ部であり、湾曲リム５１と同一面にある。環状陥凹部５２の内側は、少なくとも１つ又は複数の片５１ａを備え、片５１ａは、環状陥凹部５２の内側に対応する一定の幅及び長さを有し、片５１ａは環状の陥凹部５２の内面に接続される。
【００９３】
図２０は、係止ロッド、内側係止挿入要素、係止要素、及び係止挿入要素を含む係止の詳細を示す。
【００９４】
図２０Ａによれば、係止接続要素（図１３による）、係止ロッド５５、内側係止挿入要素５９、係止要素、及び係止挿入要素が示される。
【００９５】
図２０によれば、係止ロッド５５は、係止ロッド５５の壁を貫通する少なくとも２つの孔５８を有する中空の円筒形ロッドの形態であり、孔５８は、係止ロッド５５上に、構造体のフロアの所望の高さに従う高さに配置される。
【００９６】
係止接続要素は、係止ロッド５５をぴったりと挿入するように構成された中央貫通孔を備え、係止接続要素は、係合面の上側係合面２００又は浮動ユニット（図示せず）の下側係合面２０２に嵌合し得る係合面を備える。
【００９７】
図２０Ｂによれば、一対の係止係合要素６３が示され、各係止係合要素６３は、係止ロッド５５の外側をぴったりと囲むことができる円弧状の形状であり、各係止係合要素６３の内側には、係止ロッド５５の対応する孔５８にぴったりと挿入するための少なくとも１つのラッチ６５が設けられ、その一対の係止係合要素６３は係止ロッド５５の外側に囲まれる。
【００９８】
係止挿入要素５９が、一対の係止係合要素６３で囲まれた係止ロッド５５の端部に被せられてそれを覆っており、使用中に、各係止係合要素６３の端部が対応する係止接続要素３６に当接して、係止接続要素６３の係合面が２つの浮動ユニットの対応する上側又は下側係合面２００又は２０２に共に係止され、これにより浮動ユニットが係止及び取り付けられ得、図５及び図７に一例を示すように、それから浮動構造体が構築され得る。組み立て手順の詳細については後述する。
【００９９】
図２０によれば、外部係止挿入デバイスである要素５５、５９、６３、及び６７が示される。係止ロッド５５は、一定の直径を有する円筒状ロッドの形態であり、ロッドに沿って長手方向に延在する貫通孔５６を有し、ロッド壁５７は一定の厚さを有する。係止ロッド５５には、一定の幅及び長さを有し係止ロッド５５の長さに沿って周期的に離間した孔５８が設けられる。図２０はまた、一定の直径を有する中空円筒シャフトの形態である内部係止挿入要素５９を示し、内側の係止挿入要素は、一端から突出した肩部６０と、一定の幅と突出距離を有しその長さが係止挿入要素５９に沿って長手方向に完全に延びた少なくとも１つの突起６１、及び内側に突出する少なくとも１つのボタン６２を備える。
【０１００】
係止係合要素６３はまた、その側部に少なくとも１つの貫通孔６６を備える。その係止は、係止ロッド５５の孔５６にぴったりと被せられて覆う形状とされる係止挿入要素６７を備える。係止挿入要素はその係止係合要素６３の貫通孔６６に挿入するための突起６９を有して、互いに締め付けられ得る。
【０１０１】
係止挿入要素６７の突起部６９には位置決め用の凹溝７０が設けられてもよく、この係止挿入要素５９には位置決定用のボタン６２が設けられてもよく、使用中に、この係止挿入要素５９のボタン６２が係止挿入要素６７の突起６９の凹溝７０に嵌合される。
【０１０２】
図２０によれば、係止要素６３は、円弧部分の形態であり、円弧部分６３の内面は、係止ロッド５５の外側にぴったりと係合されるように一定の曲率を有する。係止要素６３は一定の厚さと高さを有し、一端に肩部となる円弧部分６３の全体に亘って延びる一定幅のフランジ６４が設けられ、円弧部６３の内面から係止ロッド５５の孔５８に嵌合するための一定の幅、長さ、厚みを有する少なくとも１つのラッチ６５が突設される。係止部材６３の壁面にはまた貫通孔６６が設けられる。係止要素６３は、対になって、係止ロッド５５の対の孔５８に係止するために使用される。
【０１０３】
図２０によれば、係止挿入要素６７が示され、係止挿入要素は、係止ロッド５５の直径に等しい一定の直径及び一定の長さを有する円筒形シャフトの形態である。係止挿入要素は貫通孔６８を有し、この孔には雌ねじが設けられる。係止挿入要素６７の一端は、一定の長さ及び直径を有する他端よりも小さく、係止ロッド５５の孔５６に挿入できるので、係止挿入要素６７は、係止ロッド５５の壁５７にぴったりと着座する。係止挿入要素６７の外側には、係止要素６３の壁厚以下の突出長さ、及び係止要素６３の貫通孔６６に嵌合する適当な大きさ有する少なくとも１つの突起６９、及び係止挿入要素５９のボタン６２に係止するための適当な幅と深さを有する凹溝７０が設けられている。
【０１０４】
図２１Ａ〜図２１Ｅは、図２０に示すように係止を組み立てるステップを示し、同一の部分には同一の符号を付し、繰り返して説明しない。
【０１０５】
図２１によれば、図１３による翼型係止シャフト４２上に係止するための、図２０による係止ロッド５５の組み立て方法の一例が示される。
【０１０６】
図２１Ａによれば、翼型係止シャフト４２が示され、係止ロッド５５は翼型係止シャフト４２の孔３７に挿入される。
【０１０７】
図２１Ｂによれば、係止ロッド５５は翼型係止シャフト４２の孔３７に既に挿入されている。図２１Ｃによれば、係止挿入要素６７は、係止ロッド５５の孔５６上に置かれる。図２１Ｄによれば、係止要素６３のラッチ６５はそれぞれ、係止ロッド５５の両方の孔５８に挿入される。
【０１０８】
図２１Ｅによれば、内側係止挿入要素の突起６１は、円弧部６３間の隙間に挿入された状態で、ボタン６２が左右両方の円弧部６３の孔６６に係止され、それぞれボタン７０上に置かれ、係止ロッド５５に係止されるために溝７０に順に嵌合される。同時に、貫通孔６６は、両突部６９にそれぞれ係止され、係止挿入要素５９の突起６１がそれぞれ円弧部６３の間の隙間にぴったりと挿入され、ボタン６２がそれぞれ係止要素６３の孔６６にぴったりと挿入されて、係止挿入要素５９が両方の係止要素６３に係止され、ボタン６２がそれぞれ孔６６及び溝７０に強制的に係止される。
【０１０９】
いずれにしても、係止ロッド５５は、ステンレス鋼などの剛性材料、又はポリエステル、高密度ＰＰＥなどのような強固なプラスチックなどで作られて、ロッドが全体の荷重及び構造を支持できる。
【０１１０】
図２２は、本発明による浮動ユニット及び係止から構築された浮動構造の例を示しており、同じ部分には同じ参照番号が付され、繰り返して説明しない。
【０１１１】
図２２は、中空の直角二等辺三角柱形状の浮動ユニット、及び外部接続デバイスの係止接続を容易にするための外部構造を有する中空の半円筒形の補助浮動ユニット２７の水平方向の係止接続方法を示す。
【０１１２】
図２２の拡大図によれば、係止挿入要素６７はまた、その上側に孔６８を備え、この孔６８には、外部デバイスを取り付けるための締め付け用の内部ねじが設けられ、例えば、他の構造や金属支柱又は電気導管のような他の補助デバイスを、ネジを用いて取り付けたり接続したり、他の補助デバイスを孔に固定したりし、孔６８には雌ネジを設け得る。
【０１１３】
図２３は、前述のように様々な浮動ユニットを取り付けることによって構築された３フロア浮動構造の第２の例を示す。
【０１１４】
さらに、最低階浮動ユニットの構造は、水と同じかそれ以上の密度の材料で充填し得て、最低階を水中に沈めるので、浮動構造がより安定する。
【０１１５】
上述したように、本発明に係る浮動ユニットは、浮動構造を構築するための係止によって他の浮動ユニットに取り付け得る浮動ユニットであり、浮動ユニットは、上から見て中空の多角形の形態である浮動体を備える。浮動体は、上面、下面、及び上面及び下面に接続された複数の側面を備える。浮動体の上面及び下面はそれぞれ、多角形浮動体のそれぞれの関連する側にそれぞれ少なくとも１つの上側係合面及び少なくとも１つの下側係合面を備え、上側及び下側係合面はそれぞれ係止の係止面に嵌合するのに適する。したがって、浮動体は、別の浮動体の浮動体に取り付け得る。本発明に係る浮動ユニット及び浮動構造は、シンプルで複雑ではなく、製造コストが低く、各浮動ユニットをネジ止めすることなく係止することができ、浮動ユニットを容易に組み立てることができ、しっかりと一緒に取り付けら得る。
【０１１６】
本発明は、詳細な説明において記載され、添付の図面に示されるが、本発明の範囲及び目的から逸脱することなく、様々な修正及び変更が行われ得ることは、当業者には明らかであろう。本発明の範囲は、添付の特許請求の範囲に記載された本発明に従う。しかしながら、本発明の範囲は、特許請求の範囲において特に含まれるだけでなく、特許請求の範囲に記載される本発明の実施例の利用及び同様のものにも含まれる。
【図１Ａ】
2020073368.tif 000003
【図１Ｂ】
2020073368.tif 000004
【図１Ｃ】
2020073368.tif 000005
【図１Ｄ】
2020073368.tif 000006
【図２Ａ】
2020073368.tif 000007
【図２Ｂ】
2020073368.tif 000008
【図２Ｃ】
2020073368.tif 000009
【図３Ａ】
2020073368.tif 000010
【図３Ｂ】
2020073368.tif 000011
【図３Ｃ】
2020073368.tif 000012
【図４Ａ】
2020073368.tif 000013
【図４Ｂ】
2020073368.tif 000014
【図４Ｃ】
2020073368.tif 000015
【図４Ｄ】
2020073368.tif 000016
【図５】
2020073368.tif 000017
【図６Ａ】
2020073368.tif 000018
【図６Ｂ】
2020073368.tif 000019
【図６Ｃ】
2020073368.tif 000020
【図７】
2020073368.tif 000021
【図８Ａ】
2020073368.tif 000022
【図８Ｂ】
2020073368.tif 000023
【図８Ｃ】
2020073368.tif 000024
【図９】
2020073368.tif 000025
【図１０】
2020073368.tif 000026
【図１１】
2020073368.tif 000027
【図１２】
2020073368.tif 000028
【図１３Ａ】
2020073368.tif 000029
【図１３Ｂ】
2020073368.tif 000030
【図１４Ａ】
2020073368.tif 000031
【図１４Ｂ】
2020073368.tif 000032
【図１５Ａ】
2020073368.tif 000033
【図１５Ｂ】
2020073368.tif 000034
【図１６】
2020073368.tif 000035
【図１７】
2020073368.tif 000036
【図１８】
2020073368.tif 000037
【図１９Ａ】
2020073368.tif 000038
【図１９Ｂ】
2020073368.tif 000039
【図２０Ａ】
2020073368.tif 000040
【図２０Ｂ】
2020073368.tif 000041
【図２１Ａ】
2020073368.tif 000042
【図２１Ｂ】
2020073368.tif 000043
【図２１Ｃ】
2020073368.tif 000044
【図２１Ｄ】
2020073368.tif 000045
【図２１Ｅ】
2020073368.tif 000046
【図２２】
2020073368.tif 000047
【図２３】
2020073368.tif 000048